(57)【要約】【課題】技術では、金属材料を化粧板に用いても不要輻射を生じない表示処理装置を実現しようとすると、内部設計の自由度が下がる。【解決手段】映像が表示される表示部２と、表示部の外周である外周部１０と、を有するディスプレイパネル７と、ディスプレイパネル７表面に配置され、導電性の材質からなる導電性膜６と、導電性膜６の表面でかつ、ディスプレイパネル７の外周部の上方に位置し、所定の箇所に導通孔９が形成された非導電性の筐体枠５と、導通孔９内に配置され、導電性膜６と電気的に接続される導電性の接続部材４と、筐体枠５を覆い、接続部材４と電気的に接続される導電性の化粧板３とを有する表示装置１とした。【選択図】図４
2014098725.tif 000002
【特許請求の範囲】
【請求項１】
映像が表示される表示部と、表示部の外周である外周部と、を有するディスプレイパネルと、
前記ディスプレイパネル表面に配置され、導電性の材質からなる導電性膜と
前記導電性膜の表面でかつ、前記ディスプレイパネルの外周部の上方に位置し、所定の箇所に導通孔が形成された非導電性の筐体枠と、
前記導通孔内に配置され、前記導電性膜と電気的に接続される導電性の接続部材と、
前記筐体枠を覆い、前記接続部材と電気的に接続される導電性の化粧板と、
を有する表示装置。
【請求項２】
前記導電性膜は、メッシュ構造を有する膜である、
請求項１記載の表示装置。
【請求項３】
前記接続部材は、弾性体である、
請求項１記載の表示装置。
【請求項４】
前記接続部材は、内部がスポンジ質であり、外部が導電性の材料である、
請求項１記載の表示装置。
【請求項５】
前記筐体枠は、表面処理により表面が非導電性に処理されたアルミ材質によって形成され、さらに両面テープによって前記導電性膜に貼り付けられている、
請求項１記載の表示装置。
【請求項６】
前記化粧板は、アルミ材質である、
請求項１記載の表示装置。
【発明の詳細な説明】
【技術分野】
【０００１】
本発明は表示装置に関する。詳しくは、筐体の化粧板に導電性の材料を使用した、表示装置に関する。
【背景技術】
【０００２】
近年、表示装置のデザイン競争が活発である。表示装置の薄型化、低価格化に伴い、表示装置が広い消費者層に買い求められるようになったと同時に、外観による差別化の重要性が高まっている。
【０００３】
中でも、外観に金属材料を使用したデザインを有する表示装置は人気が高い。表示装置の表示面を縁取る箇所、いわゆるベゼルの箇所に金属を使用したデザインの表示装置が各社から発売されている。
【０００４】
外観に金属材料を使用する際には不要輻射の問題に気を使わなければならない。表示装置の設計次第では、表示装置が設計外の周波数の輻射を行う場合があるからである。この問題を表示装置のアンテナ化という。
【０００５】
不要輻射の原因となる表示装置のアンテナ化について詳しく説明する。表示装置に使用される内部部品からは常に電磁波が放射されている。その電磁波は通常ならば設計上問題が無い範囲に収められる。導電性の筐体形状を適宜工夫することで、設計範囲内の周波数、強度に調整することが可能だからである。しかし、表示装置近辺に、電気的に表示装置と独立した金属材料を配置すると、設計範囲内に調整された電磁波が金属材料によって放射されてしまうおそれがある。つまり、金属材料がアンテナのような動作を行ってしまうおそれがある。
【０００６】
従来から、表示装置のアンテナ化による不要輻射を防止するため様々な取り組みがなされていた。例えば特許文献１には、金属材料を表示装置内の部品とネジを介して電気的に接続することが開示されている。このようにすれば、不要輻射が防止される。
【先行技術文献】
【特許文献】
【０００７】
【特許文献１】特開２００４−３６１９１３号公報
【発明の概要】
【発明が解決しようとする課題】
【０００８】
しかしながら、上記従来の技術を導入することができない表示装置が存在する。例えば、近年、表示装置の設計においては表示装置の更なる薄型化が叫ばれている。また、近年、表示装置の設計においては、部品数の削減が叫ばれている。すると上記従来の技術に見られるように、表示パネルの前面に枠体を２個配置することは望ましくない。つまり、電気的に接続される導電性の部品を表示パネルの前面に配置して、外部からネジの先端を当てるという技術を採用できない。
【０００９】
つまり、上記従来の技術では、金属材料を化粧板に用いても不要輻射を生じない表示処理装置を実現しようとすると、内部設計の自由度が下がるという課題を有していた。
【課題を解決するための手段】
【００１０】
前記従来の課題を解決する為に、映像が表示される表示部と、表示部の外周である外周部と、を有するディスプレイパネルと、前記ディスプレイパネル表面に配置され、導電性の材質からなる導電性膜と前記導電性膜の表面でかつ、前記ディスプレイパネルの外周部の上方に位置し、所定の箇所に導通孔が形成された非導電性の筐体枠と、前記導通孔内に配置され、前記導電性膜と電気的に接続される導電性の接続部材と、前記筐体枠を覆い、前記接続部材と電気的に接続される導電性の化粧板と、を有する表示装置とした。
【発明の効果】
【００１１】
本発明によれば、表示装置内部を設計する際の自由度を向上させつつ、金属材料を化粧板に用いても不要輻射を生じない表示処理装置を実現することができる。
【図面の簡単な説明】
【００１２】
【図１】実施の形態１にかかる表示装置の斜視図
【図２】実施の形態１にかかる表示装置の分解図
【図３】実施の形態１における表示装置の部分拡大図
【図４】実施の形態１における表示処理装置の部分断面図
【発明を実施するための形態】
【００１３】
以下本発明の一実施の形態について図面を参照しながら説明する。
（実施の形態１）
以下、図面を参照しながら、実施の形態１について説明する。
【００１４】
＜装置の構成＞
以下、図面を参照しながら実施の形態１にかかる表示装置の構成について説明する。
【００１５】
図１を用いて表示装置の外観を説明する。図１は実施の形態１にかかる表示装置の斜視図である。表示装置１を全面から観察すると、映像が表示される表示部２と、化粧板３とが視認される。
【００１６】
図２を用いて表示装置１の内部構成を説明する。図２は実施の形態１にかかる表示装置の分解図である。表示装置１は化粧板３と、接続部材４と、筐体枠５と、導電性膜６と、ディスプレイパネル７と、バックカバー８とを有する。
【００１７】
以下、表示装置１を構成する部品について個別に説明する。なお表示装置１を構成する部品は他にも多数あるが、説明の簡略化の為に省略した。
【００１８】
化粧板３は、アルミ製の枠体である。化粧板３は導電性の金属であり、外側から視認された際に高級感を感じさせる作りになっている。
【００１９】
接続部材４は、スポンジ質の部材に導電性材料を巻きつけたガスケットである。接続部材４は弾性変形が可能である。接続部材４は化粧板３の背面に多数配置される。接続部材４と、導電性膜６とを導通させる働きをする。
【００２０】
筐体枠５は、非導電性の枠体である。寸法は略化粧板３と同一であるが、正面からは筐体枠５は視認されない。筐体枠５の側面は表示装置１の側面となる。筐体枠５は材質こそ導電性のアルミであるが表面が酸化処理をされている。酸化処理をされることによって表面には酸化皮膜が形成されている。酸化皮膜は電気を通さないので筐体枠５は表面において非導電性の性質を有する。筐体枠５には接続部材４と対応する箇所に導通孔９（図面の簡略化の為８つの導通孔のうち１つのみに符号を記す）が形成されている。この導通孔９内に接続部材４が配置される。筐体枠５は両面テープによって導電性膜６に貼り付けられている。
【００２１】
導電性膜６は、メッシュ構造を有する膜である。導電性膜６は導電性の糸状材料がメッシュ状に配置されることによって形成されている。導電性膜６はディスプレイパネル７の表面を覆うように配置されている。導電性膜６は接続部材４を介して化粧板３と電気的に接続される。導電性膜６は表示装置１内のアース部と電気的に接続されている。つまり、導電性膜６の電位は表示装置１を作動させる電気系における基準電位と等しい。導電性膜６は基準電位を有する膜として、電磁シールドの働きをしている。ディスプレイパネル７の表面からは電磁波が発せられているが、導電性膜６によって表示装置１の外へ到達する電磁波を削減している。
【００２２】
ディスプレイパネル７は、映像を表示するパネルである。ディスプレイパネル７は表示部２と、外周部１０とを有する。表示部２はディスプレイパネル７のうちでも映像が表示される部分である。外周部１０は表示部２の外周である。表示部２と外周部１０との境界は図２中において破線で表されている。
【００２３】
バックカバー８は、表示装置１の背面に配置されるカバーである。
【００２４】
図３を用いて、接続部材４が筐体枠５の導通孔９内に配置されている様子を説明する。図３は実施の形態１における表示装置の部分拡大図である。接続部材４は導通孔９に挿入され、一端が導電性膜６（図示しない）と電気的に接続され、他の一端が化粧板３と電気的に接続される。接続部材４の内部はスポンジ質のものに限られないが、導通孔９の径のバラつきを吸収するために弾性変形可能なものが望ましい。また、接続部材４をスポンジ質の材料で形成すると、接続部材４が弾性変形した際にも、化粧板３や導電性膜６に与える反発力が少ないという効果がある。
【００２５】
＜装置の作用効果＞
図４を用いて、上述のように構成された表示装置１について作用効果を説明する。図４は実施の形態１における表示処理装置の部分断面図である。図４（ａ）は断面の箇所と方向を示す図である。図４（ｂ）は図４（ａ）のＡ−Ａ’断面を拡大した部分断面図である。
【００２６】
実施の形態１における表示装置は、化粧板３と導電性膜６とが、接続部材４を介して電気的に接続されているので、化粧板３からの不要輻射を抑えることができる。
【００２７】
ここで、従来ならば、別途導電性膜６の前面に導電性の部材を形成していた。本実施の形態においては導電性膜６自体に導電性があることと、基準電位を有していることに着目し、導電性膜６と化粧板３とを接続させる試みを行った。その結果表示装置の厚みを削減し、または部品点数を削減して、不要輻射を抑えることに成功した。
【００２８】
また、導電性膜６は若干の凹凸を有していることが、接続部材４との接地を確保する観点から望ましい。よって、本実施の形態では、導電性膜６は表面に凹凸を有するメッシュ構造を導電性膜６に用いることによって、接続部材４との接地を確保した。
【００２９】
また、従来のようにネジ等を接続部材に用いると、ネジ等の先端が導電性膜６およびディスプレイパネル７を傷つけるおそれがある。その点、本実施の形態では、接続部材に弾性を有するものを選定したので、導電性膜６およびディスプレイパネル７を傷つけない。
【００３０】
また、表示装置１は非常に長期間の使用寿命が設定されており、かつ、化粧板３と導電性膜６との間のクリアランスも厳密に設計されている。よって、接続部材の弾性次第では、時間の経過によって、化粧板３と導電性膜６とのクリアランスに狂いが生じる可能性がある。その点本実施の形態では、上述のように、弾性体の材料の中でも特にスポンジ質のものを選ぶことによって、接続部材４が変形しても、化粧板３や導電性膜６に与える反発力が少なく、長期間の使用寿命に適合する。
【００３１】
また、筐体枠５は化粧板３の保持特性に優れ、さらに側面から鑑賞した際に美感に優れるものであることが望ましい。本実施の形態では、表面処理により表面が非導電性に処理されたアルミ材質によって筐体枠５を形成した。さらに筐体枠５は化粧板３を表面に貼り付けられた両面テープによって保持するようにした。このようにすると、側面から鑑賞した際に美感に優れるだけでなく、表面処理により荒らされたアルミの表面と、両面テープとが強固に結びつくので化粧板３の脱落が防止できる。
【００３２】
また、化粧板３は、美感にすぐれ、かつ脱落防止の観点から軽量なものが望ましい。本実施の形態では、化粧板３に軽量なアルミ材質のものを選定することによって、アルミ特有の美感と、脱落のしにくさを両立している。
【００３３】
＜実施の形態１のまとめ＞
本実施の形態によれば、化粧板３と導電性膜６とが、接続部材４を介して電気的に接続されているので、化粧板３からの不要輻射を抑えることができる。その際、ディスプレイパネル７の電磁シールドである導電性膜６をアース箇所として利用しているので、不要に筐体の厚みを増加させたり、部品点数を増加させたりすることが無い。
【産業上の利用可能性】
【００３４】
本発明の表示装置は、テレビジョン受信機、デジタルフォトフレーム、情報表示用ディスプレイとして有用である。
【符号の説明】
【００３５】
１    表示装置
２    表示部
３    化粧板
４    接続部材
５    筐体枠
６    導電性膜
７    ディスプレイパネル
８    バックカバー
９    導通孔
１０  外周部
【図１】
2014098725.tif 000003
【図２】
2014098725.tif 000004
【図３】
2014098725.tif 000005
【図４】
2014098725.tif 000006